(57)【要約】本発明の一実施例による絶縁抵抗測定回路は、絶縁抵抗測定バッテリーのプラス端子と接続される第１ソース抵抗、及び絶縁抵抗測定バッテリーのマイナス端子及び第１ソース抵抗と接続される第２ソース抵抗を含むソース抵抗部と、第１ソース抵抗の電圧を第１電圧としてセンシングし、第２ソース抵抗の電圧を第２電圧としてセンシングする第１演算増幅器を含む電圧センシング部と、絶縁抵抗測定バッテリーのプラス端子及び第１ソース抵抗と接続される第１スイッチ、及び絶縁抵抗測定バッテリーのマイナス端子及び第２ソース抵抗と接続される第２スイッチを含む漏れ電流遮断部と、第１演算増幅器及び第１電圧源と接続される第３スイッチ、及び第２演算増幅器及び第２電圧源と接続される第４スイッチを含む測定回路テスト部と、第１電圧及び前記第２電圧を介して絶縁抵抗測定バッテリーの絶縁抵抗を測定する絶縁抵抗測定部と、を含む。【選択図】図１
2013537313.tif 000002
【特許請求の範囲】
【請求項１】
絶縁抵抗測定バッテリーのプラス端子と接続される第１ソース抵抗、及び前記絶縁抵抗測定バッテリーのマイナス端子及び前記第１ソース抵抗と接続される前記第２ソース抵抗を含むソース抵抗部と、
前記第１ソース抵抗の電圧を第１電圧としてセンシングし、前記第２ソース抵抗の電圧を第２電圧としてセンシングする第１演算増幅器を含む電圧センシング部と、
前記絶縁抵抗測定バッテリーのプラス端子及び前記第１ソース抵抗と接続される第１スイッチ、及び前記絶縁抵抗測定バッテリーのマイナス端子及び前記第２ソース抵抗と接続される第２スイッチを含む漏れ電流遮断部と、
前記第１演算増幅器及び第１電圧源と接続される第３スイッチ、及び前記第２演算増幅器及び第２電圧源と接続される第４スイッチを含む測定回路テスト部と、
前記第１電圧及び前記第２電圧を介して前記絶縁抵抗測定バッテリーの絶縁抵抗を測定する絶縁抵抗測定部と、
を含むことを特徴とする絶縁抵抗測定回路。
【請求項２】
前記第１演算増幅器は、非反転端子及び反転端子を介して前記第１ソース抵抗と接続され、前記第１ソース抵抗に印加される第１ソース電圧を前記第１電圧としてセンシングして出力端子を介して出力し、
前記第２演算増幅器は、非反転端子及び反転端子を介して前記第２ソース抵抗と接続され、前記第２ソース抵抗に印加される第２ソース電圧を前記第２電圧としてセンシングして出力端子を介して出力することを特徴とする請求項１に記載の絶縁抵抗測定回路。
【請求項３】
前記漏れ電流遮断部は、前記絶縁抵抗測定バッテリーの陽極絶縁破壊時、前記第１スイッチを開放して前記第１ソース抵抗側には電流が流れないようにし、前記絶縁抵抗測定バッテリーの陰極絶縁破壊時、前記第２スイッチを開放して前記第２ソース抵抗側には電流が流れないようにすることを特徴とする請求項１に記載の絶縁抵抗測定回路。
【請求項４】
前記絶縁抵抗測定バッテリーの電圧をＶ、前記絶縁抵抗測定バッテリーの絶縁抵抗をＲｉｓｏ、前記第１ソース抵抗及び前記第２ソース抵抗を各々Ｒ、前記第２電圧をＶ２とする場合、前記絶縁抵抗測定バッテリーの陽極絶縁破壊時に測定される前記第２電圧は、Ｖ２＝ＲＶ／（Ｒｉｓｏ＋Ｒ）であることを特徴とする請求項１に記載の絶縁抵抗測定回路。
【請求項５】
前記絶縁抵抗測定バッテリーの電圧をＶ、前記絶縁抵抗測定バッテリーの絶縁抵抗をＲｉｓｏ、前記第１ソース抵抗及び前記第２ソース抵抗を各々Ｒ、前記第１電圧をＶ１とする場合、前記絶縁抵抗測定バッテリーの陰極絶縁破壊時に測定される前記第１電圧は、Ｖ１＝ＲＶ／（Ｒｉｓｏ＋Ｒ）であることを特徴とする請求項１に記載の絶縁抵抗測定回路。
【請求項６】
前記測定回路テスト部は、前記第１スイッチ及び前記第２スイッチを開放し、前記第３スイッチ及び前記第４スイッチを閉鎖した後、前記第１電圧及び前記第２電圧を測定して前記第１演算増幅器及び前記第２演算増幅器の異常可否を判断することを特徴とする請求項１に記載の絶縁抵抗測定回路。
【請求項７】
前記絶縁抵抗測定バッテリーは、ハイブリッド（hybrid）車両の高電圧バッテリーであることを特徴とする請求項１に記載の絶縁抵抗測定回路。 
【発明の詳細な説明】
【技術分野】
【０００１】
本発明は、絶縁抵抗測定回路に関し、より詳しくは、絶縁抵抗測定時、漏れ電流を発生させないために、第１スイッチ及び第２スイッチの開閉を調節し、絶縁抵抗測定回路のセルフテストのために、第１スイッチ及び第２スイッチを開放し、第３スイッチ及び第４スイッチを閉鎖した後、第１演算増幅器及び第２演算増幅器を介して出力される電圧を測定する絶縁抵抗測定回路に関する。
【背景技術】
【０００２】
高電圧バッテリーを使用するハイブリッド車両は、非常事態発生時、自動的にメイン高電圧バッテリーの電源を遮断するシステムを備えている。前記非常事態とは、関連部品の老朽化による過度な漏電、絶縁破壊など、及び外部的な衝撃による部品破壊によるショートにより発生する過度な漏電、絶縁破壊などを意味する。
【０００３】
車両に非常事態が発生すると、ＢＭＳ（BATTERY MANAGEMENT SYSTEM）やＨＣＵ（HYBRID CONTROL UNIT）等、高電圧部品を制御する上位の部品でメイン電源を遮断する命令を下して電源を断続するようになる。前記高電圧関連部品は、電源を接続する線路の電圧と電流を一連のプログラムまたはセンサーを介してモニターリングし、正常範囲を外れた電圧、電流が検出される場合、許容値以上の漏れ電流がある場合、及び許容値以上の絶縁抵抗破壊などがある場合、ＣＡＮ通信またはシグナル送信を介してメイン電源を遮断するようになる。
【０００４】
このように、高電圧バッテリーを使用するハイブリッド車両において、絶縁抵抗の測定は相当重要である。高電圧バッテリーとハイブリッド車両との間の漏れ電流を測定する方法として、絶縁を破壊して強制に直流電流を流れるようにする方法があり、このような方法は、絶縁抵抗の測定中、絶縁が破壊されるという短所がある。
【０００５】
これを解決するために、高電圧バッテリーとハイブリッド車両との間にカップリングコンデンサーを接続し、前記カップリングコンデンサーに交流信号を印加して絶縁抵抗成分を測定する方法がある。しかし、前記方法もカップリングコンデンサーを充電する電流と放電する電流が同じ回路を通過しなければならないため、回路設計に多くの制約があるという短所がある。
【０００６】
したがって、ハイブリッド車両のシャーシグラウンドと高電圧バッテリーとの間の絶縁抵抗測定において、より簡単且つ正確に絶縁抵抗を測定することができる小型化、軽量化、及び低価格化された絶縁抵抗測定回路の開発が要求されている。
【発明の概要】
【発明が解決しようとする課題】
【０００７】
本発明は、前記のような従来技術を改善するために導き出されたものであり、絶縁抵抗測定時、漏れ電流を発生させないために、第１スイッチ及び第２スイッチの開閉を調節し、絶縁抵抗測定回路のセルフテストのために、第１スイッチ及び第２スイッチを開放し、第３スイッチ及び第４スイッチを閉鎖した後、第１演算増幅器及び第２演算増幅器を介して出力される電圧を測定するものである。これで、より簡単に、絶縁抵抗測定時、漏れ電流が発生しないようにすることができ、絶縁抵抗測定回路自体で絶縁抵抗センシングパートを検査することができるようにする。
【課題を解決するための手段】
【０００８】
前記目的を遂げて従来技術の問題点を解決するために、本発明の一実施例による絶縁抵抗測定回路は、絶縁抵抗測定バッテリーのプラス端子と接続される第１ソース抵抗、及び前記絶縁抵抗測定バッテリーのマイナス端子及び前記第１ソース抵抗と接続される前記第２ソース抵抗を含むソース抵抗部と、前記第１ソース抵抗の電圧を第１電圧としてセンシングし、前記第２ソース抵抗の電圧を第２電圧としてセンシングする第１演算増幅器（Ｏｐ  Ａｍｐ：Operational Amplifier）を含む電圧センシング部と、前記絶縁抵抗測定バッテリーのプラス端子及び前記第１ソース抵抗と接続される第１スイッチ、及び前記絶縁抵抗測定バッテリーのマイナス端子及び前記第２ソース抵抗と接続される第２スイッチを含む漏れ電流遮断部と、前記第１演算増幅器及び第１電圧院と接続される第３スイッチ、及び前記第２演算増幅器及び第２電圧院と接続される第４スイッチを含む測定回路テスト部と、前記第１電圧及び前記第２電圧を介して前記絶縁抵抗測定バッテリーの絶縁抵抗を測定する絶縁抵抗測定部と、を含む。
【０００９】
また、本発明の一実施例による絶縁抵抗測定回路において、前記第１演算増幅器は、非反転端子及び反転端子を介して前記第１ソース抵抗と接続され、前記第１ソース抵抗に印加される第１ソース電圧を前記第１電圧としてセンシングして出力端子を介して出力し、前記第２演算増幅器は、非反転端子及び反転端子を介して前記第２ソース抵抗と接続され、前記第２ソース抵抗に印加される第２ソース電圧を前記第２電圧としてセンシングして出力端子を介して出力することを特徴とする。
【００１０】
また、本発明の一実施例による絶縁抵抗測定回路において、前記漏れ電流遮断部は、前記絶縁抵抗測定バッテリーの陽極絶縁破壊時、前記第１スイッチを開放して前記第１ソース抵抗側には電流が流れないようにし、前記絶縁抵抗測定バッテリーの陰極絶縁破壊時、前記第２スイッチを開放して前記第２ソース抵抗側には電流が流れないようにすることを特徴とする。
【００１１】
また、本発明の一実施例による絶縁抵抗測定回路において、前記絶縁抵抗測定バッテリーの電圧をＶ、前記絶縁抵抗測定バッテリーの絶縁抵抗をＲｉｓｏ、前記第１ソース抵抗及び前記第２ソース抵抗を各々Ｒ、前記第２電圧をＶ２とする場合、前記絶縁抵抗測定バッテリーの陽極絶縁破壊時に測定される前記第２電圧は、Ｖ２＝ＲＶ／（Ｒｉｓｏ＋Ｒ）であることを特徴とする。
【００１２】
また、本発明の一実施例による絶縁抵抗測定回路において、前記絶縁抵抗測定バッテリーの電圧をＶ、前記絶縁抵抗測定バッテリーの絶縁抵抗をＲｉｓｏ、前記第１ソース抵抗及び前記第２ソース抵抗を各々Ｒ、前記第１電圧をＶ１とする場合、前記絶縁抵抗測定バッテリーの陰極絶縁破壊時に測定される前記第１電圧は、Ｖ１＝ＲＶ／（Ｒｉｓｏ＋Ｒ）であることを特徴とする。
【００１３】
また、本発明の一実施例による絶縁抵抗測定回路において、前記測定回路テスト部は、前記第１スイッチ及び前記第２スイッチを開放し、前記第３スイッチ及び前記第４スイッチを閉鎖した後、前記第１電圧及び前記第２電圧を測定して前記第１演算増幅器及び前記第２演算増幅器の異常可否を判断することを特徴とする。
【００１４】
また、本発明の一実施例による絶縁抵抗測定回路において、前記絶縁抵抗測定バッテリーは、ハイブリッド（hybrid）車両の高電圧バッテリーであることを特徴とする。
【発明の効果】
【００１５】
本発明の絶縁抵抗測定回路によると、絶縁抵抗測定時、漏れ電流を発生させないために、第１スイッチ及び第２スイッチの開閉を調節し、絶縁抵抗測定回路のセルフテストのために、第１スイッチ及び第２スイッチを開放し、第３スイッチ及び第４スイッチを閉鎖した後、第１演算増幅器及び第２演算増幅器を介して出力される電圧を測定することによって、より簡単に、絶縁抵抗測定時、漏れ電流が発生しないようにすることができ、絶縁抵抗測定回路自体で絶縁抵抗センシングパートを検査することができるようにする効果を得ることができる。
【図面の簡単な説明】
【００１６】
【図１】本発明の一実施例による絶縁抵抗測定バッテリーの陽極絶縁破壊時、絶縁抵抗測定回路の接続を示す回路図である。
【図２】本発明の一実施例による絶縁抵抗測定バッテリーの陰極絶縁破壊時、絶縁抵抗測定回路の接続を示す回路図である。
【図３】本発明の一実施例によるセルフテスト時、絶縁抵抗測定回路の接続を示す回路図である。
【図４】本発明の一実施例による絶縁抵抗測定バッテリーの絶縁抵抗が無限大の場合、シミュレーション結果を示す図面である。
【図５】本発明の一実施例による絶縁抵抗測定バッテリーの陰極絶縁破壊時、シミュレーション結果を示す図面である。
【図６】本発明の一実施例による絶縁抵抗測定バッテリーの陽極絶縁破壊時、シミュレーション結果を示す図面である。
【図７】本発明の一実施例による絶縁抵抗測定回路のセルフテスト時、シミュレーション結果を示す図面である。
【発明を実施するための形態】
【００１７】
以下、添付図面を参照して本発明の実施例を詳細に説明する。
【００１８】
図１乃至図３は、本発明の一実施例による絶縁抵抗測定回路の構成を示す回路図である。
【００１９】
図１は、本発明の一実施例による絶縁抵抗測定バッテリーの陽極絶縁破壊時、絶縁抵抗測定回路の接続を示す回路図であり、図２は、本発明の一実施例による絶縁抵抗測定バッテリーの陰極絶縁破壊時、絶縁抵抗測定回路の接続を示す回路図である。図３は、本発明の一実施例によるセルフテスト時、絶縁抵抗測定回路の接続を示す回路図である。
【００２０】
本発明の一実施例による絶縁抵抗測定回路は、絶縁抵抗測定バッテリー１０１、絶縁抵抗１０２、ソース抵抗部１０３、１０４、電圧センシング部１０５、１０６、漏れ電流遮断部１０７、１０８、測定回路テスト部１０９、１１０、及び絶縁抵抗測定部（図示せず）を含む。
【００２１】
本発明の一実施例によると、ソース抵抗部は、第１ソース抵抗１０３及び第２ソース抵抗１０４を含む。また、電圧センシング部は、第１演算増幅器１０５及び第２演算増幅器１０６を含む。また、漏れ電流遮断部は、第１スイッチ１０７及び第２スイッチ１０８を含む。また、測定回路テスト部は、第３スイッチ１０９及び第４スイッチ１１０を含む。
【００２２】
前記ソース抵抗部は、絶縁抵抗測定バッテリー１０１のプラス端子及び第２ソース（source）抵抗１０４と接続される第１ソース抵抗１０３、及び絶縁抵抗測定バッテリー１０１のマイナス端子及び第１ソース抵抗１０３と接続される第２ソース抵抗１０４を含む。すなわち、第１ソース抵抗１０３は、第１スイッチ１０７を介して絶縁抵抗測定バッテリー１０１のプラス端子と接続され、第２ソース抵抗１０４は、第２スイッチ１０８を介して絶縁抵抗測定バッテリー１０１のマイナス端子と接続されることができる。第１ソース抵抗１０３及び第２ソース抵抗１０４は、接地を介して接続されることができる。
【００２３】
前記電圧センシング部は、第１ソース抵抗１０３の電圧を第１電圧としてセンシングし、第２ソース抵抗１０４の電圧を第２電圧としてセンシングする。前述したように、前記電圧センシング部は、第１演算増幅器１０５及び第２演算増幅器１０６を含む。
【００２４】
第１演算増幅器１０５の非反転端子及び反転端子は、各々、第１ソース抵抗１０３の両端と接続されることができる。第１演算増幅器１０５は、第１ソース抵抗１０３に印加される第１ソース電圧を前記第１電圧としてセンシングして出力端子を介して出力することができる。
【００２５】
第２演算増幅器１０６の非反転端子及び反転端子は、各々、第２ソース抵抗１０４の両端と接続されることができる。第２演算増幅器１０６は、第２ソース抵抗１０４に印加される第２ソース電圧を前記第２電圧としてセンシングして出力端子を介して出力することができる。
【００２６】
前記漏れ電流遮断部は、絶縁抵抗測定バッテリー１０１のプラス端子及び第１ソース抵抗１０３と接続される第１スイッチ１０７、及び絶縁抵抗測定バッテリー１０１のマイナス端子及び第２ソース抵抗１０４と接続される第２スイッチ１０８を含む。
【００２７】
前記測定回路テスト部は、第１演算増幅器１０５及び第１電圧源１１２と接続される第３スイッチ１０９、及び第２演算増幅器１０６及び第２電圧源１１３と接続される第４スイッチ１１０を含む。第３スイッチ１０９は、第１演算増幅器１０５の非反転端子と接続されることができ、第４スイッチ１１０は、第２演算増幅器１０６の反転端子と接続されることができる。
【００２８】
前記絶縁抵抗測定部は、前記第１電圧及び前記第２電圧を介して絶縁抵抗測定バッテリー１０１の絶縁抵抗１０２を測定する。例えば、前記絶縁抵抗測定部は、マイクロコントローラーを含むことができる。前記マイクロコントローラーは、前記第１電圧と前記第２電圧の入力を受ける。前記マイクロコントローラーは、前記第１電圧及び前記第２電圧を介して絶縁抵抗測定バッテリー１０１の絶縁抵抗１０２を測定することができる。これに対する説明は省略する。
【００２９】
本発明の一実施例によると、絶縁抵抗測定バッテリー１０１の陽極絶縁破壊時、第１スイッチ１０７を開放して第１ソース抵抗１０３側には電流が流れないようにし、絶縁抵抗測定バッテリー１０１の陰極絶縁破壊時、第２スイッチ１０８を開放して第２ソース抵抗１０４側には電流が流れないようにする。このようにして絶縁抵抗測定時に漏れ電流が発生しないようにすることができる。
【００３０】
図１及び図２に示すように、絶縁抵抗測定バッテリー１０１の電圧をＶ、絶縁抵抗測定バッテリー１０１の絶縁抵抗１０２をＲｉｓｏ、第１ソース抵抗１０３及び第２ソース抵抗１０４の抵抗値を各々Ｒ、第１演算増幅器１０５から出力される前記第１電圧をＶ１、第２演算増幅器１０６から出力される前記第２電圧をＶ２とする。
【００３１】
絶縁抵抗測定バッテリー１０１の陽極絶縁破壊時に測定される前記第２電圧は、数式１の通りである。
【００３２】
（数式１）
Ｖ２＝ＲＶ／（Ｒｉｓｏ＋Ｒ）
【００３３】
絶縁抵抗測定バッテリー１０１の陰極絶縁破壊時に測定される前記第１電圧は、数式２の通りである。
【００３４】
（数式２）
Ｖ１＝ＲＶ／（Ｒｉｓｏ＋Ｒ）
【００３５】
本発明の一実施例によると、第１スイッチ１０７及び第２スイッチ１０８を開放し、第３スイッチ１０９及び第４スイッチ１１０を閉鎖した後、第１演算増幅器１０５及び第２演算増幅器１０６から出力される電圧を測定し、第１演算増幅器１０５及び第２演算増幅器１０６の異常可否を判断することができる。
【００３６】
図３に示すように、第１電圧源１１２及び第２電圧源１１３の電圧値を各々Ｖｔとする。
【００３７】
セルフテスト時に測定される前記第１電圧は、数式３の通りである。
【００３８】
（数式３）
Ｖ１＝Ｖｔ
【００３９】
セルフテスト時に測定される前記第２電圧は、数式４の通りである。
【００４０】
（数式４）
Ｖ２＝Ｖｔ
【００４１】
図４は、本発明の一実施例による絶縁抵抗測定バッテリーの絶縁抵抗が無限大の場合、シミュレーション結果を示す図面であり、図５は、本発明の一実施例による絶縁抵抗測定バッテリーの陰極絶縁破壊時、シミュレーション結果を示す図面であり、図６は、本発明の一実施例による絶縁抵抗測定バッテリーの陽極絶縁破壊時、シミュレーション結果を示す図面である。図７は、本発明の一実施例による絶縁抵抗測定回路のセルフテスト時、シミュレーション結果を示す図面である。
【００４２】
シミュレーションプログラムであるＰＳＩＭを介して絶縁抵抗測定回路を確認することができる。
【００４３】
例えば、絶縁抵抗測定バッテリー１０１の電圧を２７３．６Ｖとし、絶縁抵抗測定バッテリー１０１の絶縁抵抗１０２を２７．３６ｋΩとすることができる。
【００４４】
図４は、前述したように、絶縁抵抗測定バッテリー１０１の絶縁抵抗１０２が無限大の場合、すなわち、絶縁抵抗測定バッテリー１０１の絶縁抵抗１０２が破壊されず正常な場合である。このような場合、図４に示すように、第１演算増幅器１０５及び第２演算増幅器１０６の出力電圧がほぼ０Ｖである。
【００４５】
図５は、前述したように、絶縁抵抗測定バッテリー１０１の陰極絶縁破壊時、すなわち、絶縁抵抗測定バッテリー１０１の絶縁抵抗１０２が絶縁抵抗測定バッテリー１０１のマイナス端子と接続される場合である。
【００４６】
例えば、絶縁抵抗測定バッテリー１０１の絶縁抵抗１０２が２７．３６ｋΩである場合、第１演算増幅器１０５の出力電圧は３．６３６Ｖであり、第２演算増幅器１０６の出力電圧はほぼ０Ｖである。また、絶縁抵抗測定バッテリー１０１の絶縁抵抗１０２が５４．７２ｋΩである場合、第１演算増幅器１０５の出力電圧は３．４３１Ｖであり、第２演算増幅器１０６の出力電圧はほぼ０Ｖである。また、絶縁抵抗測定バッテリー１０１の絶縁抵抗１０２が８２．０８ｋΩである場合、第１演算増幅器１０５の出力電圧は３．２４９Ｖであり、第２演算増幅器１０６の出力電圧はほぼ０Ｖである。
【００４７】
図５のシミュレーション結果から分かるように、第１演算増幅器１０５の出力電圧を測定した時、その電圧値が０Ｖに近接しない場合、絶縁抵抗測定バッテリー１０１の陰極絶縁破壊を予想することができる。
【００４８】
図６は、前述したように、絶縁抵抗測定バッテリー１０１の陽極絶縁破壊時、すなわち、絶縁抵抗測定バッテリー１０１の絶縁抵抗１０２が絶縁抵抗測定バッテリー１０１のプラス端子と接続される場合である。
【００４９】
例えば、絶縁抵抗測定バッテリー１０１の絶縁抵抗１０２が２７．３６ｋΩである場合、第１演算増幅器１０５の出力電圧はほぼ０Ｖであり、第２演算増幅器１０６の出力電圧は３．６３６Ｖである。また、絶縁抵抗測定バッテリー１０１の絶縁抵抗１０２が５４．７２ｋΩである場合、第１演算増幅器１０５の出力電圧はほぼ０Ｖであり、第２演算増幅器１０６の出力電圧は３．４３１Ｖである。また、絶縁抵抗測定バッテリー１０１の絶縁抵抗１０２が８２．０８ｋΩである場合、第１演算増幅器１０５の出力電圧はほぼ０Ｖであり、第２演算増幅器１０６の出力電圧は３．２４９Ｖである。
【００５０】
図６のシミュレーション結果から分かるように、第２演算増幅器１０６の出力電圧を測定した時、その電圧値が０Ｖに近接しない場合、絶縁抵抗測定バッテリー１０１の陽極絶縁破壊を予想することができる。
【００５１】
図５及び図６のシミュレーション結果から分かるように、絶縁抵抗測定バッテリー１０１の陽極及び陰極の絶縁破壊をチェックするにはわずか５秒もかからない。
【００５２】
図７は、前述したように、絶縁抵抗測定回路のセルフテスト時、すなわち、絶縁抵抗測定バッテリー１０１の絶縁抵抗１０２をセンシングする第１演算増幅器１０５及び第２演算増幅器１０６の異常可否を点検するためのものである。このような場合、図７に示すように、第１演算増幅器１０５及び第２演算増幅器１０６の出力電圧がほぼ２．５Ｖである。
【００５３】
図７のシミュレーション結果から分かるように、第１演算増幅器１０５及び第２演算増幅器１０６の出力電圧を測定した時、その電圧値が０Ｖに近接しない場合、第１演算増幅器１０５及び第２演算増幅器１０６の異常を予想することができる。
【００５４】
前記のように本発明によると、絶縁抵抗測定時、漏れ電流を発生させないために、第１スイッチ及び第２スイッチの開閉を調節し、絶縁抵抗測定回路のセルフテストのために、第１スイッチ及び第２スイッチを開放し、第３スイッチ及び第４スイッチを閉鎖した後、第１演算増幅器及び第２演算増幅器を介して出力される電圧を測定することによって、より簡単に、絶縁抵抗測定時、漏れ電流が発生しないようにすることができ、絶縁抵抗測定回路自体で絶縁抵抗センシングパートを検査することができるようにする効果を得ることができる。
【００５５】
以上のように、本発明は、たとえ、限定された実施例と図面により説明されたとしても、前記実施例に限定されるものではなく、これは本発明が属する分野において通常の知識を有する者であれば、このような記載から多様な修正及び変形が可能である。したがって、本発明の思想は、特許請求の範囲によってのみ把握されなければならず、その均等または等価的変形の全ては本発明の思想の範疇に属するものである。
【符号の説明】
【００５６】
１０１  絶縁抵抗測定バッテリー
１０２  絶縁抵抗
１０３  第１ソース抵抗
１０４  第２ソース抵抗
１０５  第１演算増幅器
１０６  第２演算増幅器
１０７  第１スイッチ
１０８  第２スイッチ
１０９  第３スイッチ
１１０  第４スイッチ
１１２  第１電圧源
１１３  第２電圧源
【図１】
2013537313.tif 000003
【図２】
2013537313.tif 000004
【図３】
2013537313.tif 000005
【図４】
2013537313.tif 000006
【図５】
2013537313.tif 000007
【図６】
2013537313.tif 000008
【図７】
2013537313.tif 000009
【国際調査報告】
2013537313.tif 000010
2013537313.tif 000011